(57)【要約】【課題】音響機器などをセッティングするのみでスパイク体によるスタンドベースに対する一点支持が可能となるようにし、デッドスペースの乏しい配置空間に対してもセッティング作業を容易なものとすることができる機器筐体の支脚装置を提供する。【解決手段】スパイク体４ａを具備する支脚主体１と、前記スパイク体４ａの尖頭の軸心を支承するスタンドベース５からなり、前記スタンドベース５を遊嵌状態で支脚主体１に一体化し、支脚装置を構成する。【選択図】　　図２
2004022592.tif 000002
【特許請求の範囲】
【請求項１】
スパイク体を具備する支脚主体と、
前記スパイク体の尖頭の軸心を支承するスタンドベースとからなり、
前記スタンドベースを遊嵌状態で支脚主体に一体化したことを特徴とする機器筐体の支脚装置。
【請求項２】
スタンドベースの外周に支脚主体を囲繞する周壁を形成したことを特徴とする請求項１記載の機器筐体の支脚装置。
【発明の詳細な説明】
【０００１】
【発明の属する技術分野】
本発明は、オーディオシステムなどの音響機器あるいは各種情報機器の筐体に用いて好適な支脚装置に関する。
【０００２】
【従来の技術】
一般に情報の記録媒体であるＣＤ（Ｃｏｍｐａｃｔ　Ｄｉｓｃ）、ＤＶＤ（Ｄｉｇｉｔａｌ　Ｖｅｒｓａｔｉｌｅ　Ｄｉｓｃ）などの光ディスクをドライブして音響再生を行うディスクプレーヤ、あるいは情報の記録再生を行うディスク装置は、ディスクを回転駆動するための動力源を備えているため、機器内部が励振されて振動、共振が発生する。また、音響機器の場合は、通常、オーディオラックなどにセッティングされるが、室内からの外的要因あるいは再生音によりオーディオラックが励振され、これによる振動が機器内部に伝達される。
【０００３】
ところで、光ディスクには微細なピットが連続したトラックが形成されており、このトラックにサーボ制御される光ピックアップのレーザ光を照射してピットを読み取るようにしている。したがって、この光ピックアップは微小なサーボ信号にも正確に追随して駆動するようにされており、そのため、トラッキング方向、フォーカス方向に動きやすいように支持された構造となっている。
【０００４】
このような構造的特徴により、光ディスクの駆動源あるいは機器の外部から振動が伝達して光ピックアップが僅かでも揺れ動くと、光ピックアップによるピットの読取誤差、いわゆるビットロスが発生し、ディスクプレーヤの場合は音響再生特性の劣化を生じることとなる。
【０００５】
そこで、通常、振動を吸収、遮断するためのいわゆるメカニカルアースの手段として、コイルバネやゴムなどの弾性体を組み合わせ、機器筐体の支脚とする構成が一般に採用されているが、このような複合構造の場合は、支脚をネジにより機器筐体の底板に取り付けるようにしている。したがって、支脚の取付強度はネジの剛性に止まり、十分なメカニカルアースを得ることができなかった。このような問題を解決する手段として、いわゆるスパイク体により設置台と一点で接触し、筐体を３カ所または４カ所で支持するものが効果的であることが確認されている。
【０００６】
これは、図８に示すごとく、例えば、ディスクプレーヤなどの音響機器Ａの底板Ａ１に固定した支脚主体Ｌに円錐状のスパイク体Ｌ１を形成し、その尖頭の一点がオーディオラックＢの棚板Ｂ１の天板面に接地するようにしたもので、通常、音響機器Ａのセッティング後、図９、図１０に示すごとくスタンドベースＳをスパイク体Ｌ１と棚板Ｂ１間に配置するようにしている。
【０００７】
【発明が解決しようとする課題】
ところが、音響再生特性の向上を追求するこの種の音響機器の場合、電源部の強化に伴う重量の増加とともに振動、共振を排除するための構造とするため、駆動系、筐体の質量が増加し、高級モデルでは２５ｋｇ前後のきわめて大きな重量となり、スパイク体を備えた音響機器のセッティングは容易なものではなく、大きな作業であり慎重を要するものとなっている。
【０００８】
即ち、このような音響機器Ａのセッティングの手順は、まず、機器本体を棚板Ｂ１の暫定的なセッティング位置へ載置するのであるが、このとき、スパイク体Ｌ１の尖頭で棚板Ｂ１の表面を傷付けることが明らかであるため、保護シートをスパイク体Ｌ１の位置を予測して配置し、この保護シート上にスパイク体Ｌ１を配置する。しかるのち、機器本体の片側を僅かに押し上げ、保護シートを取り除き、スパイク体Ｌ１下にスタンドベースＳを配置するようにしている。
【０００９】
ところが、前述した作業を、側部ならびに上部が開放された空間で行う場合は比較的容易であるが、図８、図９に示すオーディオラックＢのように上下左右が囲まれた閉塞した空間においてはデッドスペースが狭くなり、きわめて困難なセッティング作業となる。特に、オーディオラックＢの背面は、通常、室内の壁Ｗなどに近接しているため、セッティング作業を許容するスペースがなく、音響機器の大きな重量と相俟って作業性は極端に低いものであった。
【００１０】
しかしながら、音響機器のセッティングは不可欠であるため、通常、強引な作業によりオーディオラックＢに収められているのが実情であり、棚板Ｂ１の表面やスタンドベースＳの表面をスパイク体の尖頭で大きく傷付けることとなっている。また、機器の重量が大きい場合は、大きな労力による煩雑な作業となり、スパイク体の尖頭で手指を傷付ける危険があるため、安全に対する配慮を必要とするものであった。
【００１１】
本発明は、かかる従来の問題に鑑みなされたもので、この種の支脚の構造において、振動、共振をより効率よく排除することができるスパイク体の利点を活かしつつ、機器本体のセッティングに際し、その作業性ならびに安全性を向上するようにしたもので、重量の大きな機器にあってもデッドスペースの乏しい収納空間へのセッティングを容易に実現できるようにしたものである。
【００１２】
【課題を解決するための手段】
そこで本発明は、スパイク体を具備する支脚主体と、前記スパイク体の尖頭の軸心を支承するスタンドベースとからなり、前記スタンドベースを遊嵌状態で支脚主体に一体化するようにする。また、前記構成において、スタンドベースの外周に支脚主体を囲繞する周壁を形成し、上記課題を解決する。
【００１３】
【発明の実施の形態】
以下、本発明の実施の形態を図にもとづいて詳細に説明する。なお、実施例として光ディスクをドライブするディスクプレーヤにもとづいて説明するが、本発明はオーディオアンプ、スピーカシステムなどの音響機器、あるいはその他の情報機器へ広範に実施し得るものである。
【００１４】
図１は本発明を実施したディスクプレーヤなどの音響機器ＡがオーディオラックＢにセッティングされた状態を示す正面図であり、支脚装置１は、通常、筐体底面の四隅を４点支持、あるいはフロント２カ所とリア１カ所で３点支持するように配置される。
【００１５】
図２乃至図３は、本発明の支脚装置の第１実施例を示す断面図ならびに分解斜視図であり、同図において支脚主体２は金属などの無垢材料からなり、底面に外周凹陥部２ａと内周凹陥部２ｂが形成されている。そして、前記外周凹陥部２ａには３カ所の等角位置にネジ３を取り付けるためのネジ孔２ｃが形成されており、内周凹陥部２ｂの中心にはネジ孔２ｄが形成されている。
【００１６】
このように構成された支脚主体２は、そのネジ孔２ｄへ機器筐体内部からボルト４が螺着され、筐体の底板Ａ１とともに緊締され、固定される。前記ボルト４は、その先端に尖頭が形成された円錐状のスパイク体４ａが形成されており、該スパイク体４ａは前記外周凹陥部２ａ、内周凹陥部２ｂ内に臨むように寸法調整されている。なお、前記ボルト４の特にスパイク体４ａは、焼き入れなどにより高硬度とするための処理が施されていることが望ましい。
【００１７】
つぎに、符号５はスタンドベースであり、中心に支承台部５ａが形成され、その上部にフランジ部５ｂと、外周から中心に向かう下り勾配のテーパ面５ｃが形成されている。そして、スタンドベース５の外周であって前記支脚主体２のネジ孔２ｃに対向する円周上の任意の位置に通孔５ｄが形成されている。なお、前記フランジ５ｂは支脚主体２の内周凹陥部２ｂの高さ幅より肉薄であることを要する。
【００１８】
このように構成された支脚主体２とスタンドベース５を組み立てる場合は、まず、図２に示すごとく、支脚主体２の内周凹陥部２ｂに支承台部５ａのフランジ部５ｂを臨ませて配置する。そして、スタンドベース５の通孔５ｄからネジ３を挿入して支脚主体２のネジ孔２ｃに螺着し、残余のネジ孔２ｃに対しても同様にスタンドベース５の通孔５ｄを一致させてネジ３を螺着する。このようにしてネジ３の螺着がすべて完了すると、このネジ３に形成されている鍔３ａが内周凹陥部２ｂ上に延出した状態となり、これによりフランジ部５ｂが内周凹陥部２ｂ内に係止された状態となるので、支脚主体２に対しスタンドベース５が遊嵌状態で一体化されたことになる。
【００１９】
したがって、組み立てを完了した本発明の第１実施例による支脚装置は、機器のセッティングを完了すると、図２に示すようにスタンドベース５の支承台部５ａがボルト４のスパイク体４ａを支承した状態となる。また、機器本体を押し上げたときは、同図の破線で示す位置までスタンドベース５が降下し、スパイク体４ａの尖頭と支承台部５ａは離間するが、ネジ３によりスタンドベース５の脱落は阻止され、支脚主体２とスタンドベース５の一体化された状態は保たれる。
【００２０】
図４は本発明の第２実施例を示すもので、スパイク体２ｅとネジ部２ｆを支脚主体２に一体に形成したものであり、前記ネジ部２ｆを機器筐体の底板Ａ１に形成したネジ孔に螺着し、支脚主体２を固定するようにしたもので、第１実施例と同一の機能が得られるようにしたものである。
【００２１】
図５は本発明の第３実施例を示すもので、スタンドベース５の外周から立ち上がり、支脚主体２を囲繞する周壁５ｅを一体に形成したもので、第１実施例と同一の機能を得ることができるとともに、支脚装置が恰も単一部品で構成されているような意匠的効果を得ることができる。なお、この第３実施例の構成は、前記第２実施例、あるいは後述する第４実施例に対しても実施することが可能である。
【００２２】
図６乃至図７は、本発明の第４実施例であって支脚主体自体にスパイク体を突出形成したもので、支脚主体ならびにスタンドベースの外形を簡素なものとすることができる。即ち、この第４実施例における支脚主体６の表面中心にはネジ孔６ａが形成され、底面に円錐状のスパイク体６ｂが形成されている。そして、この支脚主体６は、そのネジ孔６ａへ機器筐体内部からボルト７が螺着され、筐体の底板Ａ１とともに緊締され、固定される。また、支脚主体６の外周には３カ所の等角位置にネジ８を取り付けるためのネジ孔６ｃが形成されている。
【００２３】
一方、スタンドベース９にはその表面に、外周から中心に向かう下り勾配のテーパ面９ａが形成されている。そして、このスタンドベース９の外周であって前記支脚主体６のネジ孔６ｃに対向する位置に通孔９ｂが形成され、この通孔９ｂはスタンドベース９の底面の凹嵌部９ｃと連通する。
【００２４】
このように構成された支脚主体６とスタンドベース９を組み立てる場合は、まず、支脚主体６の中心に対しスタンドベース９の中心を臨ませて配置する。そして、スタンドベース９の通孔９ｂから３本のネジ８を挿入して支脚主体のネジ孔６ｃに螺着する。このようにしてネジ８の螺着がすべて完了すると、ネジ８の頭部が図６に示すごとく凹嵌部９ｃ内に止まり、このネジ８の頭部で凹嵌部９ｃが係止される構成となるのでスタンドベース９の脱落が阻止され、支脚主体６とスタンドベース９が遊嵌状態で一体化されることになる。
【００２５】
したがって、組み立てを完了した本発明の第４実施例の支脚装置は、機器のセッティングを完了すると、図６に示すようにスタンドベース９のテーパ面９ａの中心で支脚主体６のスパイク体６ｂを支承した状態となる。また、機器本体を押し上げたときは、同図の破線で示す位置までスタンドベース９が降下し、スパイク体６ｂの尖頭とスタンドベース９は離間するが、ネジ８によりスタンドベース９の脱落が阻止され、支脚主体６とスタンドベース９の一体化された状態は保たれる。
【００２６】
【発明の効果】
以上、詳細に説明したごとく本発明の請求項１記載の発明によれば、スパイク体を具備する支脚主体とスタンドベースを遊嵌状態で一体化した支脚装置を構成したので、機器本体をセッティングするのみで筐体の一点支持が可能となる。したがって、セッティングの後作業としてスタンドベースの配設が不要となるので、デッドスペースの乏しい配置空間に対してもセッティングが容易となり、また、移設を行う場合においても、スタンドベースが一体化されているので、作業性はきわめて高いものとなる。
【００２７】
また、本発明の請求項２記載の発明により、スタンドベースに形成した周壁により支脚主体を囲繞するようにしたので、単一部品による支脚装置とする見かけ上の外観を構成することができ、意匠的効果を向上することができる。
【図面の簡単な説明】
【図１】本発明の支脚装置を実施した音響機器の正面図である。
【図２】本発明の支脚装置の第１実施例の断面図である。
【図３】本発明の支脚装置の第１実施例の分解斜視図である。
【図４】本発明の支脚装置の第２実施例の断面図である。
【図５】本発明の支脚装置の第３実施例の断面図である。
【図６】本発明の支脚装置の第４実施例の断面図である。
【図７】本発明の支脚装置の第４実施例の分解斜視図である。
【図８】音響機器の配置状態を示す正面図である。
【図９】音響機器のセッティングを説明するための図である。
【図１０】従来の支脚装置の一例を示す断面図である。
【符号の説明】
１・・・・・・支脚装置
２・・・・・・支脚主体
３・・・・・・ネジ
４・・・・・・ボルト
４ａ・・・・・スパイク体
５・・・・・・スタンドベース
５ａ・・・・・支承台部
５ｅ・・・・・周壁
６・・・・・・支脚主体
６ａ・・・・・スパイク体
７・・・・・・ボルト
８・・・・・・ネジ
９・・・・・・スタンドベース
Ａ・・・・・・音響機器
Ｂ・・・・・・オーディオラック
【図１】
2004022592.tif 000003
【図２】
2004022592.tif 000004
【図３】
2004022592.tif 000005
【図４】
2004022592.tif 000006
【図５】
2004022592.tif 000007
【図６】
2004022592.tif 000008
【図７】
2004022592.tif 000009
【図８】
2004022592.tif 000010
【図９】
2004022592.tif 000011
【図１０】
2004022592.tif 000012